(57)【要約】      （修正有） 【課題】雛人形や５月人形等を収納する収納箱自体を、そのまま飾り棚に利用し、多数小箱を使用することなく、コンパクトに各飾り物を収納できる飾り物収納箱を提供する。【解決手段】飾り台に十分な広さを備えた扁平形状で、箱本体と箱本体に被冠される蓋体Ｂで構成され、箱本体内を分割壁１で仕切って収納対象品に対応する所定の分画収納部２，３，４，５，６を設けると共に、適宜な分画収納部内に長尺物となる収納対象品を嵌合装着する溝部を有する長尺物収納部７を設けてなる。【選択図】図４
0003177484.tif 000002
【実用新案登録請求の範囲】
【請求項１】
飾り台に十分な広さを備えた扁平形状で、箱本体と箱本体に被冠される蓋体で構成され、箱本体内を分割壁で仕切って収納対象品に対応する所定の分画収納部を設けると共に、適宜な分画収納部内に長尺物となる収納対象品を嵌合装着する溝部を有する長尺物収納部を設けてなることを特徴とする人形等の飾り物収納箱。
【請求項２】
人形本体を収納する分画収納部である本体収納部の内壁上部に腕板を突設すると共に、前記腕板に溝部を形成して、本体収納部の上方空間に長尺物収納部を設けてなる請求項１記載の人形等の飾り物収納箱。
【請求項３】
分画収納部及び長尺物収納部の上方に、屏風載置収納部を設けてなる請求項１記載の人形等の飾り物収納箱。
【請求項４】
箱本体及び蓋体の外周面に装飾を施してなる請求項１乃至３記載の何れかの人形等の飾り物収納箱。
【考案の詳細な説明】
【技術分野】
【０００１】
本考案は、ひな人形、五月人形等の飾り物の収納箱に関するものである。
【背景技術】
【０００２】
昔からの一般的な雛人形飾りとしては、５段飾りや７段飾り等が知られているが、大掛かりな飾りは近年の住宅事情にそぐわないとして、近年は最上端の親王雛のみを飾る親王飾りが普及してきた。また収納の利便性から収納箱自体をそのまま飾り棚に利用することが提案されている（特許文献１，２）。
【先行技術文献】
【特許文献】
【０００３】
【特許文献１】登録実用新案第３０３５２５７号公報。
【特許文献２】登録実用新案第３０４９７１３号公報。
【考案の概要】
【考案が解決しようとする課題】
【０００４】
ところで前記のように収納箱に親王飾りを収納する場合に、例えば特許文献１には、各人形や付属の飾り（雛人形飾りでは、雪洞、橘桜）を小箱や包装紙で包んで収納し、特許文献２は、飾り全体をそのまま収納するようにしている。
【０００５】
しかし飾り全体をそのまま収納するのでは、大きな収納箱が必要となり、単にそのまま包装紙で包んで収納したのでは運搬中に破損しやすいし、特に雪洞のような長尺物は、小箱に収納する必要があり、やはり収納箱全体が大きくならざるを得ない。
【０００６】
そこで本考案は、安全な運搬が可能で、且つコンパクトな収納を実現する人形等の飾り物収納箱を提案したものである。
【課題を解決するための手段】
【０００７】
本考案（請求項１）に係る人形等の飾り物収納箱は、飾り台に十分な広さを備えた扁平形状で、箱本体と箱本体に被冠される蓋体で構成され、箱本体内を分割壁で仕切って収納対象品に対応する所定の分画収納部を設けると共に、適宜な分画収納部内に長尺物となる収納対象品を嵌合装着する溝部を有する長尺物収納部を設けてなることを特徴とするものである。
【０００８】
而して予め収納すべき人形本体や付属の飾りの大きさに対応して形成した各分画収納部に、それぞれ人形本体並びに付属の飾りを包装紙に包んで収納すると共に、長尺物である雪洞の支柱等は、長尺物収納部の溝部に嵌合して収納するので、収納対象物（人形、付属飾り）は、ガタツクことなく確りと収納され、且つ長尺物の破損も生じにくい。
【０００９】
また本考案（請求項２）に係る人形等の飾り物収納箱は、特に人形本体を収納する分画収納部である本体収納部の内壁上部に腕板を突設すると共に、前記腕板に溝部を形成して、本体分画収納部の上方空間に長尺物収納部を設けてなるもので、人形本体を収納している広い空間をそのまま長尺物収納部に利用することで、更なるコンパクト化が実現する。
【００１０】
また本考案（請求項３）に係る人形等の飾り物収納箱は、分画収納部及び長尺物収納部の上方に、屏風載置収納部を設けてなるもので、大きな屏風を採用した場合でも、各分画収納部の上方に載置収納することで全体をコンパクトに収納できる。
【００１１】
また本考案（請求項４）に係る人形等の飾り物収納箱は、箱本体及び蓋体の外周面に装飾を施してなるもので、装飾形状の形成や、装飾塗装を施すことで、収納箱を飾り台として使用する際の豪華さを演出できるものである。
【考案の効果】
【００１２】
本考案の構成は前記のとおりで、人形本体並びに付属の飾り等は、その収納対象物に応じて形成された各分画収納部に、また長尺物も小箱収納を省略して収納するので、全体がコンパクトに収納でき、且つ長尺物の破損も生じ難くしたものである。
【図面の簡単な説明】
【００１３】
【図１】本考案の第一実施例の箱本体の斜視図。
【図２】同要部拡大図。
【図３】同収納対象物の説明図。
【図４】同収納状態を示す説明図。
【図５】本考案の第二実施例の箱本体の斜視図。
【図６】同収納状態を示す説明図。
【考案を実施するための形態】
【００１４】
次に本考案の実施形態について説明する。図１乃至図４は第一実施例を示し、その収納対象品（雛人形セット）は、図３で示す人形本体（親王雛一対）ａ、人形本体ａに装着させる前飾り部材の収納箱（紙箱）ｂ、親王座ｃ、屏風ｄ、雪洞ｅ、雪洞支柱ｆ、橘・桜ｇである。
【００１５】
前記の収納対象品の飾り物収納箱は、箱本体Ａと蓋体Ｂで構成され、箱本体Ａは、箱本体内を分割壁１で仕切って前記収納対象品と対応する分画収納部を設けるものである。
【００１６】
分画収納部は、それぞれの収納対象品に合わせ、箱本体Ａ内を左右に分割する屏風収納部２、前記屏風収納部２で分割された左右空間を各々分割壁１で前後に仕切って、一方は人形本体を収納する本体収納部３と、前飾り部材の収納箱（紙箱）ｂ及び親王座ｃを収納する座部材収納部４を形成し、他方は、雪洞収納部５と橘桜収納部６に形成する。
【００１７】
更に本体収納部３の内壁上部に腕板７１を突設すると共に、前記腕板７１に溝部７２を形成して、本体収納部３の上方空間に長尺物収納部７を設けてなる。
【００１８】
また箱本体の表面（外周面）には、装飾８を施しているもので、装飾部材８１を貼着して凹凸形状に形成したり、花柄模様や家紋等の塗装８２で表示するようにしているものである。
【００１９】
而して前記の収納対象品を各分画収納部に収納部に順次収納するものである。即ち屏風収納部２には折りたたんで扁平箱に収めた屏風ｄを収納し、本体収納部３には、人形本体（親王雛一対）ａは、頭部を保護するように包装して収納し、座部材収納部４には、人形本体ａに装着させる前飾り部材を入れた収納箱（紙箱）ｂと、親王座ｃを収納し、雪洞収納部５及び橘桜収納部６らは、それぞれ雪洞ｅと橘・桜ｇを収納する。
【００２０】
前記の人形本体ａを収納した後に溝部７２に雪洞支柱ｆを嵌合して収納し、最後に蓋体Ｂを被冠することで、全ての飾り物（雛人形セット）は包装箱（箱本体Ａと蓋体Ｂ）に収められ運搬並びに保管されるものである。そして飾るときには、収納対象品を取り出し、包装箱の蓋体Ｂの上方にそれぞれ載置して雛飾りを組み上げるものである。
【００２１】
また図５，６は第二実施例で、収納対象品（五月飾りセット）は、兜と太刀と弓と屏風である。
【００２２】
この第二実施例においても飾り物収納箱の箱本体Ａ１は、分割壁１ａで仕切って前記収納対象品と対応する分画収納部を設けるものである。
【００２３】
具体的には、主収納部９と、長尺物収納部７ａと屏風載置部１０で構成される、主収納部９は、細かな細工物である兜を収納した紙箱ｈを収納するものであり、長尺物収納部７ａは、底面に載置棒７３を横設し、その上面に溝部７２ａを設けてなるもので、長尺物（太刀ｉ，弓矢ｊ）を、前記溝部７２ａに嵌合して収納するものである。
【００２４】
屏風載置部１０は、箱本体Ａ１の内側面に載置突部１０１を設けると共に、分割壁１ａの上面を収納すべき屏風ｄの大きさに対応する切欠部１０２を設けて、屏風ｄが嵌合載置されるようにしたものである。
【００２５】
而してこの第二実施例においても、特に壊れ易く従前は小箱収納していた長尺物を、所定位置に設けた溝部７２ａに嵌合収納することで、箱本体Ａ１のコンパクト化を実現したものである。
【符号の説明】
【００２６】
Ａ，Ａ１      箱本体
Ｂ      蓋体
１，１ａ      分割壁
２      屏風収納部
３      本体収納部
４      座部材収納部
５      雪洞収納部
６      橘桜収納部
７，７ａ      長尺物収納部
７１    腕板
７２，７２ａ    溝部
７３    載置棒
８      装飾
８１    装飾部材
８２    塗装
９      主収納部
１０    屏風載置部
１０１    載置突部
１０２    切欠部
【図１】
0003177484.tif 000003
【図２】
0003177484.tif 000004
【図３】
0003177484.tif 000005
【図４】
0003177484.tif 000006
【図５】
0003177484.tif 000007
【図６】
0003177484.tif 000008